(57)【要約】　　　（修正有）【課題】速やかに心身の緊張を解し、枕や掌握クッション等として使用するに適したクッションを提供する。【解決手段】クッション本体１における袋体２を弾力性及び伸縮性を有する布地で製作する。該袋体２内に、ポリプロピレンの直径１ｍｍ以下の発泡ビーズからなるビーズ３と、亜麻仁４と、誘眠効果及びリラックス効果を有する物質５とを所要の比率で混入する。またクッション本体１における袋体２の内側にポケット６を設け、該ポケット６内に香り成分を放出する香り袋８を入れる。【選択図】　　図２
0003100204.tif 000002
【実用新案登録請求の範囲】
【請求項１】
弾力性及び伸縮性を有する布地からなる袋体内に、ビーズと亜麻仁と誘眠効果及びリラックス効果を有する物質とを所要の比率で封入してクッション本体となし、更に該クッション本体における袋体の内側又は外側に香り成分を放出する香り袋を装着するようになしたことを特徴とするクッション。
【請求項２】
ビーズが、ポリプロピレン、ポリエチレン等の直径１ｍｍ以下の発泡ビーズである請求項１記載のクッション。
【請求項３】
亜麻仁が、亜麻（Ｌｉｎｕｍ　ｕｓｉｔａｔｉｓｓｉｍｕｍ　Ｌ）の成熟種子を乾燥、或いは乾燥後必要により加熱殺菌処理したものである請求項１記載のクッション。
【請求項４】
誘眠効果及びリラックス効果を有する物質が、生薬、植物の種子・根・根茎・果実・花・花蕾・鱗茎・葉・茎・樹皮、動物の骨又は貝殻のいずれかである請求項１又は２記載のクッション。
【請求項５】
誘眠効果及びリラックス効果を有する物質としての生薬が、遠志、蝦夷ウコギ、カノコソウ、高麗人参、酸棗仁、紫蘇、真珠（アコヤガイ、真珠貝）、大棗、丹参、丁子、麦門冬、何首烏（夜交藤）、百合、竜眼肉、竜骨、牡蠣、蓮肉、茴香、茯苓、白檀、沈香、竜腦のいずれかである請求項３記載のクッション。
【請求項６】
誘眠効果及びリラックス効果を有する物質としての植物が、甘茶蔓、イラクサ、カミツレ、セイヨウオドリギソウ（セント・ジョーンズ・ウオート）、セロリ、杜仲茶、パッシオンフローラ（チャボトケイソウ）、ラベンダー、ハブ茶、ホップ、レモンバーム（メリッサ）のいずれかである請求項３記載のクッション。
【請求項７】
香り袋に内包する香り成分及び、誘眠効果及びリラックス効果を有する物質が、シダーウッド、カモミール、クラリセージ、サイプレス、ガルナバム、ホップ、ジュンバー、マンダリン、マージョラム、ミモザ、ミルラ、サンダルウッド、バレリアン、バニラ、ベチバー、バイオレット、ヤロウ、イランイランのいずれかである請求項１、２、３、４又は５記載のクッション。
【請求項８】
香り袋が、複数層のフィルムで構成し、未使用時にあっては香りを放出させない非透過性フィルム内に香り成分を内包し、使用時において軽い衝撃でこの非透過性フィルムを破損することにより香り成分を放出し、このとき該非透過性フィルムよりも外層のフィルムにおいて、香り成分の急激な揮散で誘眠効果及びリラックス効果を妨げないようにほのかな香りを一定濃度に蒸散させるような放出制御機能を有する香り袋である請求項１、２、３、４、５又は６記載のクッション。
【考案の詳細な説明】
【技術分野】
【０００１】
　本考案は誘眠効果及びリラックス効果を有し、枕や掌握クッション等として使用するに適したクッションに関するものである。
【背景技術】
【０００２】
　睡眠時には枕を使用するが、従来の枕は単に頭や首を支えるための道具にしか過ぎず、積極的に心身をリラックスさせて心地よい眠りに入らせるといった効果を意図するものではなかった。
【０００３】
　また、現代の生活にあっては日常の仕事や家事の最中にも心身の緊張によるストレスが溜まり易くなっている。そして心身の緊張を解す手段としては、例えば煙草を吸ったり、お茶を飲んだり、外の空気を吸ったりすること等が一般的であり、これは各人まちまちである。しかし、これらの従来一般的に行われている手段はいずれも実行する上である種の制約を伴うものである。即ち、煙草を吸うには場所が限られており、どこでも吸えるわけではなく、またお茶を飲むには飲むための仕度をしなければならず、更にまた外の空気を吸うには外出しなければならない。
【０００４】
　こうした背景から、最近一般的な居住空間での使用を目的として、ソファのクッション或いは快眠グッズなどの商品が開発されている。これらは、ポリエステル、ポリエチレン、ポリプロピレン、海綿などのパイプ或いはビーズを充填したものであり、圧縮した際のビーズ又はパイプの変形などによる反撥性、抵抗性による感触を利用したリラックス効果を演出している。
【０００５】
　しかしながら、これらの製品の欠点として、
　１．溶媒がビーズと反応し易く、香料等の添加が不可能である。
　２．ビーズが均質及び均一であり、掌握時或いは身体部分への接触感覚が単純で飽き易い。
　３．使用時において熱の吸熱−放熱作用が非常に緩慢であり、蓄積した熱がクッション内部にこもり易く、不快感を惹起する。
　４．身体部位から匂い、汗などの排泄物が、クッション布地に付着、蓄積し、微生物の増殖とその作用による不快臭の生成が起こり易い。
【考案の開示】
【考案が解決しようとする課題】
【０００６】
　本考案は上記の課題に取り組み検討されたものであって、以下の解決方法を見い出した。
　１．香料は、香り袋に充填し、クッションの外側に装着し、ビーズとの接触を回避した。香り袋は、放出制御型のフィルムを用い、香りの拡散速度を調整し、微香化した。
　２．ビーズに亜麻仁を配合し、掌握時或いは身体部分との接触で（１）亜麻仁特有の滑択性と硬さから生ずる刺激的皮膚感触と、（２）亜麻仁の油脂特有の温冷感を発揮させた。これにより、従来のビーズにみられた単純で飽き易い感触を改善した。更にビーズと亜麻仁との相乗的な感触により、誘眠効果或いはリラックス感を誘導させた。
　３．亜麻仁の油脂成分（亜麻仁油）の融点は−１８〜２７℃であり、油脂中の成分の融解（溶融）及び固化（再結晶化）による吸放熱を利用することで、クッションの蓄熱による不快感を改良した。
　４．香料の低分子揮発成分が、拡散過程でクッション布地に浸透後揮散することで、布地に付着した微生物を静菌させる。亜麻仁の油脂は、必須脂肪酸のアルファリノレン酸リッチであり、この生理活性が、種皮の微細孔からしみだしたこれら必須脂肪酸の経皮吸収て期待される。
【０００７】
　本考案は上記の点を考慮されたものであって、適度の弾力性、硬さ及びひんやり感を持たせることによって心地よい触感となし、而も香り袋からのほのかな香り立ちによる鎮静効果を期待することができるようになすことにより、枕として使用するときには、心身の緊張を解してリラックスさせ、速やかに心地よい眠りに誘うことができ、また睡眠時以外のときにおいて心身の緊張が高まったときには、部屋に置いたりバッグに入れる等して常に身近なところにおくことにより、掌握クッションとしてこれを触ったり握ったりすることによって、どこにあっても手軽に而も迅速に心身の緊張を解すことができるようになしたクッションを提供せんとするものである。
【課題を解決するための手段】
【０００８】
　而して、本考案の要旨とするところは、弾力性及び伸縮性を有する布地からなる袋体内に、ビーズと亜麻仁と誘眠効果及びリラックス効果を有する物質とを所要の比率で封入してクッション本体となし、更に該クッション本体における袋体の内側又は外側に香り成分を放出する香り袋を装着するようになしたことを特徴とするクッションにある。
【０００９】
　また、上記構成において、ビーズとしてはポリプロピレン、ポリエチレン等の直径１ｍｍ以下の発泡ビーズであることが好ましい。また、亜麻仁としては、亜麻（Ｌｉｎｕｍ
ｕｓｉｔａｔｉｓｓｉｍｕｍ　Ｌ）の成熟種子を乾燥、或いは乾燥後必要により加熱殺菌処理したものであることが好ましい。
【００１０】
　また、上記構成において、誘眠効果及びリラックス効果を有する物質としては、生薬、植物の種子・根・根茎・果実・花・花蕾・鱗茎・葉・茎・樹皮、動物の骨又は貝殻のいずれかを用いるものである。
【００１１】
　また、上記誘眠効果及びリラックス効果を有する物質としての生薬としては、遠志、蝦夷ウコギ、カノコソウ、高麗人参、酸棗仁、紫蘇、真珠（アコヤガイ、真珠貝）、大棗、丹参、丁子、麦門冬、何首烏（夜交藤）、百合、竜眼肉、竜骨、牡蠣、蓮肉、茴香、茯苓、白檀、沈香、竜腦のいずれかを用いることが好ましい。
【００１２】
　また、上記誘眠効果及びリラックス効果を有する物質としての植物としては、甘茶蔓、イラクサ、カミツレ、セイヨウオドリギソウ（セント・ジョーンズ・ウオート）、セロリ、杜仲茶、パッシオンフローラ（チャボトケイソウ）、ラベンダー、ハブ茶、ホップ、レモンバーム（メリッサ）のいずれかを用いることが好ましい。
【００１３】
　また、上記香り袋に内包する香り成分としては、シダーウッド、カモミール、クラリセージ、サイプレス、ガルナバム、ホップ、ジュンバー、マンダリン、マージョラム、ミモザ、ミルラ、サンダルウッド、バレリアン、バニラ、ベチバー、バイオレット、ヤロウ、イランイランのいずれかを用いることが好ましい。
【００１４】
　また、上記香り袋としては、複数層のフィルムで構成し、未使用時にあっては香りを放出させない非透過性フィルム内に香り成分を内包し、使用時において軽い衝撃でこの非透過性フィルムを破損することにより香り成分を放出し、このとき該非透過性フィルムよりも外層のフィルムにおいて、香り成分の急激な揮散で誘眠効果及びリラックス効果を妨げないようにほのかな香りを一定濃度に蒸散させるような放出制御機能を有する香り袋であることが好ましい。
【考案の効果】
【００１５】
　本考案は上記の如き構成であり、適度の弾力性、硬さ及びひんやり感を持たせることによって心地よい触感となし、而も香り袋からのほのかな香り立ちによる鎮静効果を期待することができるようになしたものであるから、枕として使用するときには、心身の緊張を解してリラックスさせ、速やかに心地よい眠りに誘うことができ、また睡眠時以外のときにおいて心身の緊張が高まったときには、部屋に置いたりバッグに入れる等して常に身近なところにおくことにより、掌握クッションとしてこれを触ったり握ったりすることによって、どこにあっても手軽に而も迅速に心身の緊張を解すことができるものである。また、掌握クッションとして使用するときには、掌で触ったり握ったりするばかりでなく、頭や顔、首筋等に接触させるようにしてもよいものである。
【考案を実施するための最良の形態】
【００１６】
　本考案を実施するための最良の形態は、弾力性及び伸縮性を有する布地からなる袋体内に、ビーズと亜麻仁と誘眠効果及びリラックス効果を有する物質とを所要の比率で封入してクッション本体となし、更に該クッション本体における袋体の内側又は外側に香り成分を放出する香り袋を装着するようになすことにある。
【実施例１】
【００１７】
　以下、本考案の実施例について説明する。
　図１は香り袋を装着する前の状態の斜視図、図２は中央縦断側面図である。
【００１８】
　図中、１はクッション本体である。また、該クッション本体１は、弾力性及び伸縮性を有する布地からなる袋体２内に、ビーズ３と亜麻仁４と誘眠効果及びリラックス効果を有する物質５とを所要の比率で封入してなるものである。
【００１９】
　また、該ビーズ３としては、ポリプロピレンの直径１ｍｍ以下の発泡ビーズを用いている。また、誘眠効果及びリラックス効果を有する物質５としては、本実施例においては生薬である白檀と、植物であるラベンダーの花を用いている。
【００２０】
　また、前記クッション本体１は、その袋体２の内側にポケット６を設け、該ポケット６内に後記香り袋を入れるようになしている。７は該ポケット６の開口部に取着したファスナーである。
【００２１】
　８は香り成分を放出する香り袋であり、前記クッション本体１の袋体２に設けたポケット６内に入れるものである。また、該香り袋８に内包する香り成分としては、本実施例においてはシダーウッドを用いている。また、該香り袋８は、複数層のフィルムで構成し、未使用時にあっては香りを放出させない非透過性フィルム内に香り成分を内包し、使用時において軽い衝撃でこの非透過性フィルムを破損することにより香り成分を放出し、このとき該非透過性フィルムよりも外層のフィルムにおいて、香り成分の急激な揮散で誘眠効果及びリラックス効果を妨げないようにほのかな香りを一定濃度に蒸散させるような放出制御機能を有する香り袋である。
【００２２】
　而して、本実施例によると、クッション本体１の外皮である袋体２が弾力性及び伸縮性を有する布地からなるものであり、そして該袋体２内には所要の比率でビーズ３と亜麻仁４と誘眠効果及びリラックス効果を有する物質５とが封入されているから、適度の弾力性、硬さ及びひんやり感を有する心地よい触感となっているものであり、加えて香り袋からはほのかな芳香が放出されるものである。もって速やかに心身の緊張を解すことができるものである。
【図面の簡単な説明】
【００２３】
【図１】本考案の香り袋を装着する前の状態の斜視図である。
【図２】本考案の中央縦断側面図である。
【符号の説明】
【００２４】
　１　クッション本体
　２　袋体
　３　ビーズ
　４　亜麻仁
　５　誘眠効果及びリラックス効果を有する物質
　６　ポケット
　８　香り袋
【図１】
0003100204.tif 000003
【図２】
0003100204.tif 000004